(57)【要約】      （修正有）【課題】構造が簡単であると共にコストが安くなり、横揺れを防止するパネル連結構造の提供。【解決手段】パネル側端には概略コ型断面の連結部材８ａ，８ｂを固定し、連結部材８ａ，８ｂの両側片先端に目地片１２，１２・・をパネル表面材の側端屈曲片より外側に設け、連結部材８ａ，８ｂには嵌入溝１３とネジ穴１４を設けている。隣り合うパネルの連結部材同士を突き合わせた状態で下連結金具２の底１９から起立する脚２０ａを上記嵌入溝１３に嵌めると共に片方の脚２０ｂを連結部材８ｂにネジ止めし、又基板両側から下方へ延びる両脚を有す上連結金具３の該脚１５，１５を嵌入溝１３，１３に嵌入すると共に基板１０を連結部材８ａ、８ｂにネジ止めしている。下連結金具２の底１９から下方へ延びる支持部１８にアジャスター４のネジ部２１を螺合してパネル１ａ，１ｂを適当な高さに支持する。【選択図】図１
2007092372.tif 000002
【特許請求の範囲】
【請求項１】
複数枚のパネルを連結して構成するローパーティションのパネル連結構造において、パネル側端には概略コ型断面の長尺材から成る連結部材を固定し、連結部材の両側片先端には外方向へ突出する目地片をパネル表面材の側端屈曲片より外側に設け、連結部材には嵌入溝とネジ穴を設け、そして、隣り合うパネルの連結部材同士を突き合わせた状態で下連結金具の底から起立する脚を上記嵌入溝に嵌めると共に片方の脚を連結部材にネジ止めし、又基板両側から下方へ延びる両脚を有す上連結金具の該脚を嵌入溝に嵌入すると共に基板を連結部材にネジ止めし、さらに下連結金具の底から下方へ延びる支持部に設けたネジ穴にはアジャスターのネジ部を螺合してパネルを適当な高さに支持したことを特徴とするローパーティションのパネル連結構造。
【請求項２】
上記アジャスターは、座部から起立するネジと該ネジに連結する太いネジ部とで構成した請求項１記載のローパーティションのパネル連結構造。
【請求項３】
上記下連結金具の底から起立して連結部材にネジ止めされる脚を長くし、他方の短い脚は一方の連結部材の嵌入溝にネジ止めされることなく嵌入した請求項１、又は請求項２記載のローパーティションのパネル連結構造。
【発明の詳細な説明】
【技術分野】
【０００１】
本発明はローパーティションの横揺れを抑制することが出来るパネル連結構造に関するものである。
【背景技術】
【０００２】
部屋空間を仕切る為に使用している間仕切りの中で、私的な小空間を形成する目的でローパーティションが多用されている。このローパーティションの形態も色々あるが、基本的には複数枚のパネルを床面に起立して周りを囲むように構成している。そこで、各パネルを簡単に連結することが出来ると共に、安定した連結が行われることが必要となる。従来ではローパーティションを構成するに当って、このパネル連結構造が色々知られている。
【０００３】
特開平１０−２１２７７６号に係る「パネル連結構造」は、間にスタッドを介在させることなくパネル連結するものであり、「パネルの連結材には２本の連結片を側端から突出して形成すると共に、一部には切欠き部を設け、この切欠き部からパネル連結材を嵌め込み、両パネル間の隙間となる目地空間にはパネル固定材を嵌入して連結片に係止すると共に、パネル連結部材にネジ止めしている。」
一般的なローパーティションではパネル間にスタッドを介在し、該スタッドを介してパネルを連結する構造と成っているが、上記「パネル連結構造」は該スタッドを用いないことで部品点数が削減されると共に、製造コストはその分だけ安くなるといった利点はあるが、パネル補強材の一部を切欠いてパネル連結材を嵌め込まなくてはならず、さらにパネル固定材を両パネルの隙間となる目地空間に嵌入してパネル連結材にネジ止めする必要があり、その為に組立て工数は小さくならない。
【０００４】
そこで出願人は平成１６年１月２８日付けで「ローパーティション用パネル及びパネルの連結構造」に関する特許出願を行っている(特開２００５−２１３７９２)。
このパネルの連結構造は「複数枚のパネルを連結して構成するローパーティションのパネル連結構造において、パネル側端には概略コ型断面の長尺材から成る連結部材を固定し、連結部材の両側片先端には外方向へ突出する目地片をパネル表面材の側端屈曲片より外側に設け、連結部材には嵌入溝とネジ穴を設け、そして、隣り合うパネルの連結部材同士を突き合わせた状態で下連結金具及び上連結金具の脚を嵌入溝に嵌入すると共にネジ止めし、さらに下連結金具の基板中央に設けたネジ穴にはアジャスターネジを螺合してパネルを適当な高さに支持することが出来るローパーティション用パネル連結構造である。」
上記パネル連結構造は至って簡単にパネルの連結作業を行い得る。そして、連結金具は連結部材の上端と下端に取付けられ、下端の連結金具はアジャスターネジが螺合してアジャスター受けとして機能することが出来る。そして、コ型断面の連結部材には目地片が形成される為に、隣り合うパネルの間には連結部材の目地片が介在して適度な大きさの目地空間が形成される。
【０００５】
しかし、ローパーティションの各パネルはアジャスターネジによって適度な高さに支持され、連結金具の脚を連結部材の嵌入溝に嵌めただけの連結構造である為に、パネルの横揺れが大きくなる。アジャスターネジはブラケットを介して床面に固定して揺れないようにすることは出来るが、該アジャスターネジにて支えられるパネルの揺れは同じブラケットにて防止することは出来ない。
【特許文献１】特開平１０−２１２７７６号に係る「パネル連結構造」
【特許文献２】特開２００５−２１３７９２号に係る「ローパーティション用パネル及びパネルの連結構造」
【発明の開示】
【発明が解決しようとする課題】
【０００６】
このようにローパーティションを構成するパネル連結構造には上記のごとき問題がある。本発明が解決しようとする課題はこれら問題点であり、極めて簡単な構造にて隣接パネルを連結することが出来、しかも連結状態が安定して横揺れを抑制することが出来るパネル連結構造を提供する。
【課題を解決するための手段】
【０００７】
本発明に係るローパーティション用パネルの連結構造は、隣接するパネルを下連結金具と上連結金具によって連結して構成される。そこで、パネルの側端には上下方向に連続する連結部材が固定され、この連結部材に上下連結金具が取付けられることで隣り合うパネルが連結される。上記連結部材は概略コ型断面の長尺材であって、両側片の先端を外方向へ垂直に突出して目地片を形成している。
【０００８】
そして連結部材には嵌入溝が設けられ、この嵌入溝に上下連結金具の脚が嵌入し、上下連結金具を介して連結部材及びパネルが連結される。ところで、連結部材の下端に取付けられる下連結金具はアジャスター受けとしての機能を備え、その為にネジ穴を設けると共に、アジャスターネジがネジ穴に螺合してパネルを適度な高さに支えることが出来る。
【０００９】
ところで、上記下連結金具は長く延びる２本の脚を有し、底にはアジャスターネジが螺合するネジ穴を形成した支持部を設けている。脚は連結部材の嵌入溝に嵌ると共に片方の脚はパネル側端にネジ止めされる。支持部は所定の長さを有す筒で構成されることで、アジャスターネジと下連結金具はガタ付くことのなく安定した連結を達成できる。
【発明の効果】
【００１０】
本発明のパネル連結構造は両側に脚を備えた連結金具を介して隣り合うパネルを連結することが出来る。すなわち、パネル側端には嵌入溝をもった連結部材を固定し、該嵌入溝に連結金具の脚を嵌めて連結することが出来ることで、至って簡単にパネルの連結作業を行い得る。そして、連結金具は連結部材の上端と下端に取付けられ、下端の下連結金具の嵌入溝に嵌る脚は長くしていると共にパネル側端にネジ止めされるために、下連結金具とパネルは安定した連結構造と成り、下連結金具の底に設けた支持部にはアジャスターネジが螺合することでアジャスターネジと下連結金具との連結もガタ付くことなく安定する。
【００１１】
そこで、アジャスターネジの座部をブラケットを介して床面に固定するならば、該アジャスターネジに支持されて起立するパネルは横揺れすることなく安定する。一方、コ型断面の連結部材には目地片が形成される為に、隣り合うパネルの間には連結部材の目地片が介在して適度な大きさの目地空間が形成される。
【実施例】
【００１２】
図１はローパーティションの連結部を示している。パネル１ａ，１ｂは下連結金具２と上連結金具３にて連結され、アジャスター４でもって適当な高さに支持されている。ここで、パネル１ａ，１ｂの構成は限定しないが、一般にはペーパーコアを芯材として両面に表面材を貼着し、時には一部にガラスが嵌められたガラスパネルを用いることもある。
【００１３】
パネル１ａ，１ｂの側端には点線で示す連結部材８ａ，８ｂが取着されていて、上記下連結金具２及び上連結金具３はこの連結部材８ａ，８ｂを連結している。連結部材８ａ，８ｂは図２に示すように概略コ型断面をした長尺材であって、パネル側端にネジ止めされ、そして該連結部材８ａ，８ｂはパネル１ａ，１ｂの下端部より上端部にかけて延びている。該連結部材８ａ，８ｂの下端に下連結金具２が取付けられると共に、アジャスター４が螺合して所定の高さに支えている。
【００１４】
パネル下端にはアジャスター４を隠すように巾木６ａ，６ｂが取付けられ、又パネル上端には笠木５ａ，５ｂが取着されている。従って、上端の上連結金具３は該笠木１０ａ，１０ｂによってカバーされ，アジャスター４は巾木６ａ，６ｂにてカバーされて見えないように成っている。
【００１５】
図３はパネル１ａ，１ｂの側端に図２に示す連結部材８ａ，８ｂを取付け、両パネル１ａ，１ｂを接続した場合の横断面である。該連結部材８は図２から明らかなように概略コ型断面の長尺材であって、両側片１１，１１の先端には外方向へ突出する目地片１２，１２を有している。そして、該連結部材８ａ，８ｂはパネル１ａ，１ｂの側端開口に嵌ってネジ止めされる。パネル１ａ，１ｂの側端にはコ型断面の補強材が設けられ、表面材７，７はこの補強材を被覆し、側端で屈曲して上記連結部材８ａ，８ｂの側片１１，１１まで延びている。又、目地片１２，１２はパネル１ａ，１ｂの側端の屈曲片２７，２７よりはみ出して互いに当接し、その結果、両パネル１ａ，１ｂ間に目地空間９を形成することが出来る。
【００１６】
そして、連結部材８ａ，８ｂには嵌入溝１３、１３とネジ穴１４，１４・・が形成されている。下連結金具２及び上連結金具３の脚は嵌入溝１３，１３・・に嵌入して取付けられる。図４(ａ)は上連結金具３を連結部材８ａ，８ｂの上端に取付けた場合、(ｂ)は下連結金具２を連結部材８ａ，８ｂの下端に取付けた場合を示しているように、上連結金具３及び下連結金具２の脚は嵌入溝１３，１３・・に嵌入し、外れないようにネジ止めされている。
【００１７】
上連結金具３は図５に示しているように、長方形の基板１０の両側に脚１５，１５を延ばし、基板１０の四隅にはネジが挿通する穴１６，１６・・を貫通している。図４(ａ)はこの上連結金具３を取付けてパネル１ａ，１ｂの上端側を連結している場合である。ここで、脚１５，１５は板状であって、パネル１ａ，１ｂに取着されている連結部材８ａ，８ｂの嵌入溝１３，１３にガタ付くことなく嵌ることが出来る。そして外れないように連結部材８ａ，８ｂのネジ穴１４，１４・・に基板１０がネジ止めされている。
【００１８】
図６は下連結金具２を示している。この下連結金具２は細長い長方形の板材を概略Ｊ形に曲げ成形した連結部１７と筒状の支持部１８から成り、連結部１７は底１９からは２本の脚２０ａ，２０ｂが起立して形成され、上記支持部１８は連結部１７の底１９に溶接されている。上記脚２０ｂは脚２０ａより長く成っていて、脚２０ａはパネル１ａの側端に取着した連結部材８ａの嵌入溝１３に嵌り、脚２０ｂはパネル１ｂの側端に取着した連結部材８ｂの嵌入溝１３に嵌っている。
【００１９】
そして、長い方の脚２０ｂは図１及び図４(ｂ)に示しているように、連結部材８ｂにネジ止めされている。又、短い方の脚２０ａはネジ止めされることなく、連結部材８ａの嵌入溝１３に嵌ることでパネル１ａは下連結金具２を介してパネル１ｂと連結される。勿論、パネル１ａ，１ｂの上端は上連結金具３を介して連結されている。
【００２０】
ところで、支持部１８にはアジャスター４が取付けられて下連結金具２及び該下連結金具２に載って支持されるパネル１ａ，１ｂの高さが調整される。上記支持部１８は筒状をなして内部にはネジ穴を設けている。このネジ穴に図７に示すアジャスター４のネジ部２１が螺合する。アジャスター４は座部２２から起立するネジ２３に径の大きなネジ部２１が連結している。
【００２１】
アジャスター４のネジ部２１を太くして下連結金具２の支持部１８のネジ穴に螺合することで、下連結金具２を安定して支持することが出来、ひいてはパネル１ａ，１ｂの安定を図ることが可能である。上記ネジ２３は従来のアジャスターであり、本発明では該ネジ２３を兼用する為に太いネジ部２１をネジ２３と連結した構造としている。
【００２２】
ところで、アジャスター４の座部２２にはブラケット２４が取付けられて、該アジャスター４並びにパネル１ａ，１ｂの転倒を防止している。座部２２は概略円錐形を成してその外側面には凹凸溝が形成されている。同じく、ブラケット２４には座部２２が嵌る凹部が形成され、該凹部内周面にも凹凸溝を設けている。凹凸溝が互いに噛合うことでブラケット２４は座部２２と連結し、しかも外れないように締付けナット２５にて固定されている。一方、ネジ部２１には別の締め付けナット２６が設けられて支持部１８に螺合したネジ部２１の弛みを防止している。
【００２３】
図７に示すアジャスター４はあくまでも１具体例であり、座部２２から起立する太い１本のネジ部２１で構成することは自由である。ところで、ブラケット２４を介してアジャスター４は安定して起立し、該アジャスター４の太いネジ部２１にて支持される下連結金具２は安定し、そして該下連結金具２はパネル１ｂにネジ止めされている。従って、該パネル１ａ，１ｂの大きな横揺れはなく、安定した起立が実現する。
【図面の簡単な説明】
【００２４】
【図１】本発明に係るローパーティション用パネルの連結構造。
【図２】パネル側端に取着される連結部材。
【図３】パネル側端に取着された連結部材。
【図４】(ａ)パネル上端の連結構造、(ｂ)パネル下端の連結構造。
【図５】上連結金具の具体例。
【図６】下連結金具の具体例。
【図７】アジャスターの具体例。
【符号の説明】
【００２５】
１  パネル
２  下連結金具
３  上連結金具
４  アジャスター
５  笠木
６  巾木
７  表面材
８  連結部材
９  目地空間
10  基板
11  側片
12  目地片
13  嵌入溝
14  ネジ穴
15  脚
16  穴
17  連結部
18  支持部
19  底
20  脚
21  ネジ部
22  座部
23  ネジ
24  ブラケット
25  締め付けナット
26  締め付けナット
27  屈曲片
【図１】
2007092372.tif 000003
【図２】
2007092372.tif 000004
【図３】
2007092372.tif 000005
【図４】
2007092372.tif 000006
【図５】
2007092372.tif 000007
【図６】
2007092372.tif 000008
【図７】
2007092372.tif 000009